【事件の表示】
　特願２０１３−１８２４５８「防水装置の止水板」拒絶査定不服審判事件〔平成２７年　３月１６日出願公開、特開２０１５−　４８６７６〕について、次のとおり審決する。
【結　論】
　本件審判の請求は、成り立たない。
【理　由】
１　手続の経緯  
　平成２５年　９月　３日　出願
　平成２６年　８月１９日　拒絶理由通知（同年８月２６日発送）
　平成２６年１０月　６日　意見書・手続補正書
　平成２７年　３月　９日　拒絶理由通知（同年３月１７日発送）
　平成２７年　５月１８日　意見書
　平成２７年１０月　６日　拒絶査定（同年１０月２０日送達）
　平成２８年　１月２１日　審判請求書・手続補正書
  
２　本願発明 
　本願の請求項に係る発明は、平成２８年１月２１日付けの手続補正書により補正された特許請求の範囲の請求項１ないし７に記載された事項により特定されるものと認められるところ、その請求項１に係る発明は次のとおりのものである（以下「本願発明」という。）。
  
　「縦長長方形の断面形状をなす中空の板状体の前面板部と後面板部の間に１又は複数の補強片を渡したアルミ押出型材からなる中空板体の複数個をその長さ方向を横向きに揃え、且つ互いに対面する上面板部と下面板部とを接面状に衝き合せて該上下の面板部同士を貫通する止めネジの締付けによって一体に接合し連結組合せ、これにより前記中空板体の長さを横幅とし、また前記連結した複数個の中空板体の全幅員を縦幅とする矩形の板本体を形成せしめる一方、前記板本体の前面側の適所に把手を、また該前面側の左右両側部に固定用締付け具を取付け一体に備えてなることを特徴とした防水装置の止水板。」
  
３　刊行物 
（１）原査定の拒絶の理由に引用され、本願の出願前に頒布された刊行物である、特開２００３−２７８４５８号公報（以下「刊行物１」という。）には、次の記載がある（審決にて下線を付した。以下同様。）。 
  
　ア　「【００１８】図中の１は地下道や建物などの入口に設置して内部への浸水を防止する
防水装置
  
　イ　「【００２２】
防水板５は、１枚の長さが約２ｍ、高さが約３０ｃｍ程度のアルミ製などの押し出し成形板材であって、その前後面に固着した把持体１５を一人の作業者が掴んで容易に持ち上げられる程度の軽量なつくりとしている
左右両端部近傍には防水板５を溝付支柱２及び中間支柱３に固定するための固定ハンドル１６を備え
  
　ウ　「【００２４】防水板５の上下端部に固着した水密ゴム１７は、図９に示すように、
上面１７ａが湾曲した断面略Ｘ字形状を成しており、防水板５の自重で押圧されると
湾曲していた上面１７ａが略平坦に変形して密着する
　エ　図１として、
「
　　　　　　　　　　　　　　　　　　　　　　　　」
　オ　図４として、
「
　　　　　　　　　　　　　　　　　　　　　　　　」
　カ　図９として、
「
　　　　　　　　　　　　　　　　　　　　　　　　」
　キ　図１０として、
「
　　　　　　　　　　　　　　　　　　　　　　　　　」
　ク　上記ア及びイの摘記事項、及び、上記エ、オから、「防水板５」は、「縦長長方形の断面形状をなす中空の板状体の前面板部と後面板部の間に複数の補強片を渡した」「アルミ製などの押し出し成形板材」であって、「その複数個をその長さ方向を横向きに揃えて用いられる」ことが看て取れる。
　ケ　上記ウの「
防水板５の自重で押圧されると
湾曲していた上面１７ａが略平坦に変形して密着する
  
　コ　上記アないしケの事項を総合すると、刊行物１には、次の発明（以下「刊行物１発明」という。）が開示されていると認められる。 
  
　「縦長長方形の断面形状をなす中空の板状体の前面板部と後面板部の間に複数の補強片を渡した、１枚の長さが約２ｍ、高さが約３０ｃｍ程度のアルミ製などの押し出し成形板材であって、その前面に把持体１５を固着し、左右両端部近傍には防水板５を溝付支柱２及び中間支柱３に固定するための固定ハンドル１６を備え、その複数個をその長さ方向を横向きに揃えて、互いに対面する上面板部と下面板部とを接面状に衝き合せて該上下の面板部同士を密着して用いられ、一人の作業者が掴んで容易に持ち上げられる程度の軽量なつくりとした防水装置の防水板。」 
　
（２）原査定の拒絶の理由に引用され、本願の出願前に頒布された刊行物である、実願昭６０−１６０９８４号（実開昭６２−７２３２８号）のマイクロフィルム（以下「刊行物２」という。）には、図面とともに次の記載がある。 
  
　ア　「第１図乃至第３図に示すように、本例の
防潮板２は、同一形状の４枚のパネル材３（３−１，３−２，３−３，３−４）と、これらパネル材３の長手方向の両端に取付けた縦材４から基本的に構成されている
アルミニウム合金から押出し成形されたものである
上壁３ｆ及び下壁３ｇには、
突起３ｄ及び、この突起３ｄが下方側から嵌入可能な溝部３ｅが形成され
これら上，下壁３ｆ，３ｇの同一位置には、ボルト９のための穴１１が形成されている
  
　イ　「ここで、この様に各部分が構成される防潮板２の組立ては次の様に行われる。
まず、各パネル材３の突起３ｄを他方のパネル材の溝部３ｅ内に嵌入し、その後ボルト穴１１にボルト９を通して、隣接するパネル材３を連結する
連結したパネル材３の両側部に縦材４を嵌合させ
て一体化されたパネル材３及び縦材４を、開口部の枠１に合わせて、ハンドル５によってその枠１に固着する。
　
　ウ　上記ア及びイの記載事項を参照して、第１，２，４図をみると、符号１０に対する部分名称はないが、「ナットであること」が明らかである。また、「４枚のパネル材（３−１，３−２，３−３，３−４）の上壁３ｆと下壁３ｇとを接面状に衝き合せて、上，下壁３ｆ、３ｇ同士を貫通するボルト９をナット１０で締め付けることによって連結していること」、及び、「１枚のパネル材の長さを横幅とし、一体化されたパネル材３の全幅員を縦幅とする矩形のパネル材３を防潮板２としていること」が看取できる。
  
４　対比 
　本願発明と刊行物１発明とを対比する。
（１）刊行物１発明の「縦長長方形の断面形状をなす中空の板状体の前面板部と後面板部の間に複数の補強片を渡した、１枚の長さが約２ｍ、高さが約３０ｃｍ程度のアルミ製などの押し出し成形板材」は、本願発明の「縦長長方形の断面形状をなす中空の板状体の前面板部と後面板部の間に１又は複数の補強片を渡したアルミ押出型材からなる中空板体」に相当する。
　
（２）刊行物１発明の「（アルミ製などの押し出し成形板材であって、）その前後面に把持体１５を固着し」た構成は、本願発明の「（前記板本体の）前面側の適所に把手を・・・取付け一体に備えてなる」構成に相当する。
　また、刊行物１発明の「左右両端部近傍には防水板５を溝付支柱２及び中間支柱３に固定するための固定ハンドル１６を備え」た構成は、本願発明の「（該前面側の）左右両側部に固定用締付け具を取付け一体に備えてなる」構成に相当する。
（３）刊行物１発明の「（アルミ製などの押し出し成形板材であって・・・）その複数個をその長さ方向を横向きに揃えて、互いに対面する上面板部と下面板部とを接面状に衝き合せて該上下の面板部同士を密着して用いられ」と、本願発明の「（縦長長方形の断面形状をなす中空の板状体の前面板部と後面板部の間に１又は複数の補強片を渡したアルミ押出型材からなる）中空板体の複数個をその長さ方向を横向きに揃え、且つ互いに対面する上面板部と下面板部とを接面状に衝き合せて該上下の面板部同士を貫通する止めネジの締付けによって一体に接合し連結組合せ、これにより前記中空板体の長さを横幅とし、また前記連結した複数個の中空板体の全幅員を縦幅とする矩形の板本体を形成せしめる」構成とは、「中空板体の複数個をその長さ方向を横向きに揃え且つ互いに対面する上面板部と下面板部とを接面状に衝き合せ」た構成で共通する。
（４）したがって、本願発明と刊行物１発明とは、
　「縦長長方形の断面形状をなす中空の板状体の前面板部と後面板部の間に複数の補強片を渡したアルミ押出型材からなる中空板体の複数個をその長さ方向を横向きに揃え且つ互いに対面する上面板部と下面板部とを接面状に衝き合せ、その前面側の適所に把手を、また該前面側の左右両側部に固定用締付け具を取付け一体に備えてなる防水装置の止水板。」で一致し、
　下記の点で相違する。
（相違点） 
　「中空板体の複数個をその長さ方向を横向きに揃え且つ互いに対面する上面板部と下面板部とを接面状に衝き合せ」た構成に関して、
　本願発明は、「該上下の面板部同士を貫通する止めネジの締付けによって一体に接合し連結組合せ、これにより前記中空板体の長さを横幅とし、また前記連結した複数個の中空板体の全幅員を縦幅とする矩形の板本体を形成せしめる」に対し、
　刊行物１発明は、（接面状に衝き合せて）密着させるだけで、「該上下の面板部同士を貫通する止めネジの締付けによって一体に接合し連結組合せ」「連結した複数個の中空板体で矩形の板本体を形成せしめる」との構成を有していない点。
　
５　判断
（１）相違点について
ア　刊行物２をみると、中空板体ではないが、アルミニウム合金から押出し成形された（本願発明の「アルミ押出型材からなる」に相当。）４枚のパネル材（３−１，３−２，３−３，３−４）（本願発明の「複数個の板体」に相当。）の上壁３ｆと下壁３ｇと（本願発明の「上面板部と下面板部」に相当。）を接面状に衝き合せて、上，下壁３ｆ、３ｇ同士（本願発明の「上下の面板部同士」に相当。）を貫通するボルト９をナット１０で締め付けることによって連結し、連結したパネル材３の両側部に縦材４を嵌合させて一体化し（本願発明の「一体に接合し連結組合せ」に相当。）、１枚のパネル材の長さを横幅とし、一体化されたパネル材３の全幅員を縦幅とする矩形のパネル材３（本願発明の「板本体」に相当。）を防潮板２（本願発明の「止水板」に相当。）とすることが記載されており、該技術事項を、刊行物１発明における１枚の中空の板状体からなる防水板に採用することは、当業者が容易になし得たことである。
　なお、ボルト・ナットでの締付けをネジの締付けとすることは慣用技術の変換にすぎない。
イ　また、止水板を中空板によって構成すること、及び、止水板の上下板同士を衝き合わせて接合することは、周知の技術（前者については、特許第３４５８０７７号公報の図３及び段落【０００７】、後者については、特開２００５−３３０７３９号公報の図７（イ）（ロ）及び段落【００１９】等参照。）にすぎない。
　そもそも、一般的な技術として、上下に位置する部材を単に密着させるか、それとも接合し連結するかは、部材に求められる強度や水密性等の物理的要件、作業性、可搬性などを勘案して、当業者が適宜選択できる設計的事項というべきである。
ウ　したがって、相違点に係る構成の変更は、当業者が適宜なし得たことである。
（２）本願発明が奏する効果について
　本願明細書には、発明の目的として「アルミ製の止水板にあって更なる軽量化を図ること」（段落【００１３】）、発明の効果として「本発明によれば、アルミ製の複数個の中空板体同士の直接的な接合によって組立てて板本体を形成することから全体重量の軽減化が図られ、軽量体とすることができる。従って、この軽量化に伴って作業性，操作性に優れた止水板を提供することができることになる。」（段落【００３６】）、実施例に関して「中空板体２全体の実質的な厚み（前後の厚み）を６１ｍｍとすると共に、左右の長さ（出入口の幅方向の長さ）を１４１５ｍｍとしたものを２枚重ねに連結して縦の長さ（縦幅）を３５０ｍｍとする板本体１Ａを得た。これにより得られた止水板１の全体重量は、約６．９３ｋｇであった。従って、ここに得られた止水板は、作業員一人で容易に持ち運ぶことができる重量のものであり、またこれにより装着溝２１，２４に対する抜き差し操作においても一人の作業員によって楽に行えるものとなっていた。」（段落【００６０】）と記載されているとおり、本願発明に係る止水板は、「軽量化に伴って作業性，操作性に優れた止水板」を提供するものであって、「作業員一人で容易に持ち運ぶことができる重量のもの」である。
　一方、刊行物１発明における防水板は、１枚の中空の板状体ではあるが、１枚の長さが約２ｍ、高さが約３０ｃｍ程度のアルミ製であって、全体重量は記載されていないが、一人の作業者が掴んで容易に持ち上げられる程度の軽量なつくりとしており（上記、２（１）記載事項イ参照。）、刊行物１発明における防水板の長さ及び高さと、本願発明における２枚の中空板体の連結によって形成された板本体１Ａの左右の長さ及び縦の長さ（縦幅）には大差がないから、全体重量にも大差がないと考えられる。
　したがって、本願発明が奏する効果は、刊行物１発明のものと格別異なるものではない。
（３）まとめ
　以上のとおり、本願発明は、当業者が刊行物１発明、刊行物２に記載の技術事項及び周知の技術に基いて容易に発明をすることができたものであるから、特許法第２９条第２項の規定により特許を受けることができない。
６　むすび
　したがって、本願発明（本願の請求項１に係る発明）は特許を受けることができないものであるから、請求項２ないし７に係る発明について検討するまでもなく、本願は拒絶されるべきものである。
  
　よって、結論のとおり審決する。